(57)【要約】      （修正有）【課題】内容液が減じた場合であっても、確実に内容液を噴出させることができるスプレーボトルを提供する。【解決手段】内容液２０を噴出可能なスプレーボトル１０であって、ボトル本体１１と、ボトル本体１１の内部に形成され、内容液２０が減じた場合に内容液２０が溜まる内容液溜まり部１２と、内容液溜まり部１２内に先端が配置された吸い上げ用のチューブ１３とを備え、ボトル本体１１は、下端部に至るに従って側方テーパ状に形成され、ボトル本体１１の下端部に内容液溜まり部１２が形成されている。【選択図】図２
0003233080.tif 000002
【実用新案登録請求の範囲】
【請求項１】
内容液を噴出可能なスプレーボトルであって、
ボトル本体と、前記ボトル本体の内部に形成され、前記内容液が減じた場合に前記内容液が溜まる内容液溜まり部と、前記内容液溜まり部内に先端が配置された吸い上げ用のチューブとを備え、前記ボトル本体は、下端部に至るに従って側方テーパ状に形成され、前記ボトル本体の下端部に前記内容液溜まり部が形成されていることを特徴とするスプレーボトル。
【請求項２】
前記チューブは、前記ボトル本体の内部で湾曲して配置されていることを特徴とする請求項１記載のスプレーボトル。
【請求項３】
前記ボトル本体は、底面に、前記ボトル本体を起立して配置させるための脚部を備えることを特徴とする請求項１記載のスプレーボトル。
【請求項４】
前記チューブにより吸い上げられた前記内容液を噴出する噴出口部を備え、前記ボトル本体のテーパ状の先端部は、前記噴出口部と同じ側に配置されていることを特徴とする請求項１記載のスプレーボトル。
【請求項５】
前記ボトル本体の前記噴出口部側の側面は、前記ボトル本体の上端部から前記ボトル本体のテーパ状の先端部に向かって円弧状に湾曲していることを特徴とする請求項４記載のスプレーボトル。
【請求項６】
前記ボトル本体の前記噴出口部側とは反対の側面は、前記ボトル本体の外側に向かって膨出していることを特徴とする請求項４記載のスプレーボトル。
【請求項７】
前記噴出口部は、前記ボトル本体及び前記チューブに対して幅方向に沿って回動可能に形成されていることを特徴とする請求項４記載のスプレーボトル。
【考案の詳細な説明】
【技術分野】
【０００１】
本考案は、スプレーボトルに係り、特に、内容液を噴出可能なスプレーボトルに関する。
【背景技術】
【０００２】
一般のスプレーボトルは、内容液の残量が少なくなると、スプレーボトルを傾けても噴出口部（スプレー口）から噴出させることができない。
この理由は、ノズルに接合されている吸い上げ用のチューブが、円筒状のボトル本体の中心部であって、底部よりやや上方に下端部が真っすぐに垂下されるように構成されており、残量が少なくなった際の内容液を吸い上げることができないからである。特に、スプレーボトルを横に寝かさなければならない場面では、使用することができない。
【０００３】
このような問題点を解決するための技術として、ボトルを下にした正立状態において、吸引口がボトルの隅部に位置するように延伸された吸引パイプ部を備えるスプレー装置が開示されている（例えば、特許文献１）。
【０００４】
しかしながら、特許文献１のスプレー装置は、内容液が減じた場合、スプレー装置の傾け方によっては、吸引パイプ部の先端が必ずしも残りの内容液が存在する場所に位置するとは限らず、確実に内容液を噴出させることができない可能性がある。
【先行技術文献】
【特許文献】
【０００５】
【特許文献１】特許第５３２５２６４号公報
【考案の概要】
【考案が解決しようとする課題】
【０００６】
そこで、本考案の課題は、内容液が減じた場合であっても、確実に内容液を噴出させることができるスプレーボトルを提供することにある。
【課題を解決するための手段】
【０００７】
上記課題達成のため、請求項１記載の考案にあっては、内容液を噴出可能なスプレーボトルであって、ボトル本体と、前記ボトル本体の内部に形成され、前記内容液が減じた場合に前記内容液が溜まる内容液溜まり部と、前記内容液溜まり部内に先端が配置された吸い上げ用のチューブとを備え、前記ボトル本体は、下端部に至るに従って側方テーパ状に形成され、前記ボトル本体の下端部に前記内容液溜まり部が形成されていることを特徴とする。
従って、本考案に係るスプレーボトルにあっては、ボトル本体のテーパ形状により、内容液が内容液溜まり部に自然と導かれる。
【０００８】
請求項２記載の考案にあっては、前記チューブは、前記ボトル本体の内部で湾曲して配置されていることを特徴とする。
従って、本考案に係るスプレーボトルにあっては、湾曲状態のチューブが元に戻ろうとする力により、チューブの先端は常に内容液溜まり部に押し付けられて配置される。
【０００９】
請求項３記載の考案にあっては、前記ボトル本体は、底面に、前記ボトル本体を起立して配置させるための脚部を備えることを特徴とする。
従って、本考案に係るスプレーボトルにあっては、脚部によりボトル本体を起立した状態で配置することができる。
【００１０】
請求項４記載の考案にあっては、前記チューブにより吸い上げられた前記内容液を噴出する噴出口部を備え、前記ボトル本体のテーパ状の先端部は、前記噴出口部と同じ側に配置されていることを特徴とする。
従って、本考案に係るスプレーボトルにあっては、噴出口部とボトル本体のテーパ状の先端部との配置関係により、噴出口部を下に向けてボトル本体を傾けると、内容液がボトル本体のテーパ状の先端部に向かって自然と流れていくようになる。
【００１１】
請求項５記載の考案にあっては、前記チューブにより吸い上げられた前記内容液を噴出する噴出口部を備え、前記ボトル本体の前記噴出口部側の側面は、前記ボトル本体の上端部から前記ボトル本体のテーパ状の先端部に向かって円弧状に湾曲していることを特徴とする。
従って、本考案に係るスプレーボトルにあっては、ボトル本体の噴出口部側の側面の形状により、使用時に把持しやすい。
【００１２】
請求項６記載の考案にあっては、前記チューブにより吸い上げられた前記内容液を噴出する噴出口部を備え、前記ボトル本体の前記噴出口部側とは反対の側面は、前記ボトル本体の外側に向かって膨出していることを特徴とする。
従って、本考案に係るスプレーボトルにあっては、膨出した形状によって多量の内容液を蓄積することができる。
請求項７記載の考案にあっては、前記噴出口部は、前記ボトル本体及び前記チューブに対して幅方向に沿って回動可能に形成されていることを特徴とする。
【考案の効果】
【００１３】
請求項１記載の考案にあっては、内容液を噴出可能なスプレーボトルであって、ボトル本体と、前記ボトル本体の内部に形成され、前記内容液が減じた場合に前記内容液が溜まる内容液溜まり部と、前記内容液溜まり部内に先端が配置された吸い上げ用のチューブとを備え、前記ボトル本体は、下端部に至るに従って側方テーパ状に形成され、前記ボトル本体の下端部に前記内容液溜まり部が形成されていることから、ボトル本体のテーパ形状により、内容液が内容液溜まり部に自然と導かれるため、内容液が減じた場合であっても、確実に内容液を噴出させることができる。
【００１４】
請求項２記載の考案にあっては、前記チューブは、前記ボトル本体の内部で湾曲して配置されていることから、湾曲状態のチューブが元に戻ろうとする力により、チューブの先端は常に内容液溜まり部に押し付けられて配置されるため、内容液を最後まで使い切ることができる。
【００１５】
請求項３記載の考案にあっては、前記ボトル本体は、底面に、前記ボトル本体を起立して配置させるための脚部を備えることから、脚部によりボトル本体を起立した状態で配置することができるため、テーパ状に形成されたボトル本体を有するスプレーボトルであっても、起立した状態で保管することができる。
【００１６】
請求項４記載の考案にあっては、前記チューブにより吸い上げられた前記内容液を噴出する噴出口部を備え、前記ボトル本体のテーパ状の先端部は、前記噴出口部と同じ側に配置されていることから、噴出口部とボトル本体のテーパ状の先端部との配置関係により、噴出口部を下に向けてボトル本体を傾けると、内容液がボトル本体のテーパ状の先端部に向かって自然と流れていくようになるため、内容液が減じた場合であっても、確実に、内容液をボトル本体のテーパ状の先端部の方向に導くことができる。
【００１７】
請求項５記載の考案にあっては、前記チューブにより吸い上げられた前記内容液を噴出する噴出口部を備え、前記ボトル本体の前記噴出口部側の側面は、前記ボトル本体の上端部から前記ボトル本体のテーパ状の先端部に向かって円弧状に湾曲していることから、使用時に把持しやすくなると共に、内容液が減じた場合であっても、確実に、内容液をボトル本体のテーパ状の先端部の方向に導くことができる。
【００１８】
請求項６記載の考案にあっては、前記チューブにより吸い上げられた前記内容液を噴出する噴出口部を備え、前記ボトル本体の前記噴出口部側とは反対の側面は、前記ボトル本体の外側に向かって膨出していることから、膨出した形状によって多量の内容液を蓄積することができるため、ボトル本体がテーパ形状であるが故に、ボトル本体に収納可能な内容液の内容量が少なくなりがちであるが、その点を膨出した形状によって補うことができる。
請求項７記載の考案にあっては、前記噴出口部は、前記ボトル本体及び前記チューブに対して幅方向に沿って回動可能に形成されていることから、必要に応じて、噴出口部をボトル本体及びチューブに対して独立して幅方向に回転させることが可能となり、使用状況に応じた使用態様を構成し、内容液を噴出させることができる。
【図面の簡単な説明】
【００１９】
【図１】本考案に係るスプレーボトルの一実施の形態における起立させた状態を示す側面図である。
【図２】本考案に係るスプレーボトルの一実施の形態における傾けた状態を示す側面図である。
【図３】第１比較例のスプレーボトルにおける傾けた状態を示す側面図である。
【図４】第２比較例のスプレーボトルにおける使用方法の一例を示す図である。
【図５】第２比較例のスプレーボトルにおける使用方法の一例を示す図である。
【図６】本考案に係るスプレーボトルにおける使用方法の一例を示す図である。
【考案を実施するための形態】
【００２０】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１及び図２に示すように、本実施の形態に係るスプレーボトル１０は全体合成樹脂製であって、内容液２０を噴出可能なスプレーボトル１０であって、ボトル本体１１と、ボトル本体１１の内部に形成され、内容液２０が減じた場合に（図１に示す内容液２０が満タンの状態から図２に示す内容液２０の残量が少なくなった場合に）内容液２０が溜まる内容液溜まり部１２と、内容液溜まり部１２内に先端が配置された吸い上げ用のチューブ１３とを備え、ボトル本体１１は、下端部に至るに従って側方テーパ状（先細り状）に形成され、ボトル本体の下端部に内容液溜まり部１２が形成されている。
従って、本実施の形態に係るスプレーボトル１０にあっては、ボトル本体１１のテーパ形状により、内容液２０が内容液溜まり部１２に自然と導かれる。
なお、内容液２０が減じた場合とは、内容液２０の残量が、満タンの状態の１／２〜１／３０程度の量になった場合をいう。
【００２１】
チューブ１３は、ボトル本体１１の内部で湾曲して配置されている。
従って、本実施の形態に係るスプレーボトル１０にあっては、湾曲状態のチューブ１３が元に戻ろうとする力により、チューブ１３の先端は常に内容液溜まり部１２に押し付けられて配置される。
【００２２】
ボトル本体１１は、底面に、ボトル本体１１を起立して配置させるための脚部１４を備えている。
従って、本実施の形態に係るスプレーボトル１０にあっては、脚部１４によりボトル本体１１を起立した状態で配置することができる。
【００２３】
本実施の形態に係るスプレーボトル１０は、噴出ヘッド１５を備えている。噴出ヘッド１５は、ボトル本体１１の口部１１ａに固定されるキャップ１６と、使用者が操作するレバー１７と、チューブ１３により吸い上げられた内容液２０を噴出する噴出口部１８とを備えている。使用者がレバー１７を操作すると、ボトル本体１１の内部の内容液２０が、チューブ１３を通じて噴出ヘッド１５の図示しない通路内に吸い上げられ、通路の先端に配置された噴出口部１８から噴出される。
また、本実施の形態にあっては、噴出ヘッド１５は、ボトル本体１１及びチューブ１３に対して独立して幅方向に沿って回動可能に形成されていることから、必要に応じて、噴出ヘッド１５をボトル本体１１及びチューブ１３に対して独立して幅方向に回転させることが可能に構成されている。
【００２４】
ボトル本体１１のテーパ状の先端部１１ｂは、ボトル本体１１の幅方向において噴出口部１８と同じ側（図１では左側）に配置されている。
従って、本実施の形態に係るスプレーボトル１０にあっては、噴出口部１８とボトル本体１１のテーパ状の先端部１１ｂとの配置関係により、噴出口部１８を下に向けてボトル本体１１を傾けると、内容液２０がボトル本体１１のテーパ状の先端部１１ｂに向かって自然と流れていくようになる（図２参照）。
【００２５】
ボトル本体１１の噴出口部１８側の側面１１ｃは、ボトル本体１１の上端部からボトル本体のテーパ状の先端部１１ｂに向かって円弧状に湾曲している。
従って、本実施の形態に係るスプレーボトル１０にあっては、ボトル本体１１の噴出口部１８側の側面１１ｃの形状により、噴出口部１８を下に向けてボトル本体１１を傾けると、内容液２０がボトル本体１１のテーパ状の先端部１１ｂに向かって自然と流れていくようになる。
【００２６】
ボトル本体１１の噴出口部１８側とは反対の側面１１ｄは、ボトル本体１１の外側に向かって膨出している。
従って、本実施の形態に係るスプレーボトル１０にあっては、膨出した形状によって多量の内容液２０を蓄積することができる。
【００２７】
次に、第１比較例及び第２比較例のスプレーボトルについて説明する。
図３に示すように、第１比較例のスプレーボトル３０は、ボトル本体３１の形状が、方形状となっており、チューブ３３がボトル本体３１の中央部において直線状に垂下されている。このため、内容液２０の残量が少なくなると、内容液２０が噴出できなくなる。
【００２８】
図４に示すように、第２比較例のスプレーボトル４０は、チューブ４３が長さ方向途中において噴出口部４８の方向に折曲されている。このため、第２比較例のスプレーボトル４０では、噴出口部４８を下方に向けて使用する場合にはチューブ４３は内溶液２０内にあり、内容液２０を噴出させることに関して問題はない。
しかしながら、図５に示すように、高さ方向においてスペースが限られた場所で使用する場合には横に寝かせて使用することとなる、この場合、第２比較例のスプレーボトル４０のチューブ４３の先端は、噴出ヘッド４５と一体化しており、独立して回転させることはできないため、スプレーボトル４０の挿入角度によっては、チューブ４３の先端部が内容液２０から逸脱してしまうという問題がある。
【００２９】
具体的には、図５（Ａ）に示すように、第２比較例のスプレーボトル４０を上側の障害物５１及び下側の障害物５２の間の空間に挿入し、噴出したい面５３が上側の障害物５１と下側の障害物５２との間にある場合、チューブ４３が曲がっていても、チューブ４３の先端は内容液２０から逸脱してしまい、内用液２０を噴出させることができない。
【００３０】
同様に、図５（Ｂ）に示すように、第２比較例のスプレーボトル４０を上側の障害物５１及び下側の障害物５２の間に寝かせて配置し、噴出したい面５３が上側の障害物５１と下側の障害物５２との間において図中左側にある場合、チューブ４３が曲がっていても、チューブ４３の先端は内容液２０から出てしまう。
【００３１】
これに対して、本実施の形態に係るスプレーボトル１０にあっては、図６に示すように、チューブ１３と噴出ヘッド１５とが一体化しておらず、噴出ヘッド５０は、前記ボトル本体１１及びチューブ１３に対して幅方向に沿って回動可能に形成されていることから、必要に応じて、噴出ヘッド１５をボトル本体１１及びチューブ１３に対して独立して幅方向に回転させることにより、使用状況に応じた使用態様を構成することができる。
従って、本実施の形態に係るスプレーボトル１０を上側の障害物５１及び下側の障害物５２の間の狭い空間に挿入して内用液２０を、障害物５１及び５３の間に形成された壁面部５３に対して噴出させたい場合であって、スプレーボトル１０を回転させることはできないようなタイトな空間の場合にあっても、仮に内用液２０の残量が減少していた場合においてもチューブ１３の先端部は常に内溶液２０内にあり、チューブ１３により内容液２０を吸引することができる。
さらに、前記噴出ヘッド１５は、ボトル本体１１及びチューブ１３に対して幅方向に沿って回動可能に形成されていることから、必要に応じて、噴出ヘッド１５をボトル本体１１及びチューブ１３に対して独立して幅方向に回転させることにより、例えば、内溶液２０を噴射させることを希望する面である壁面部５３に対して内溶液２０を適宜噴出させることが可能となる。
このため、本実施の形態に係るスプレーボトル１０にあっては、どのような場面での使用であっても、内容液２０を最後まで使い切ることができる。
【００３２】
以上説明したように、本実施の形態に係るスプレーボトル１０にあっては、ボトル本体１１のテーパ形状により、内容液２０が内容液溜まり部１２に自然と導かれるため、内容液２０が減じた場合であっても、確実に内容液２０を噴出させることができる。
【００３３】
また、本実施の形態に係るスプレーボトル１０にあっては、湾曲状態のチューブ１３が元に戻ろうとする力により、チューブ１３の先端は常に内容液溜まり部１２に押し付けられて配置されるため、内容液２０を最後まで使い切ることができる。
【００３４】
さらに、本実施の形態に係るスプレーボトル１０にあっては、脚部１４によりボトル本体１１を起立した状態で配置することができるため、テーパ状に形成されたボトル本体１１を有するスプレーボトル１０であっても、起立した状態で保管することができる。
【００３５】
さらにまた、本実施の形態に係るスプレーボトル１０にあっては、使用時に把持しやすくなると共に、内容液２０が減じた場合であっても、確実に、内容液２０をボトル本体１１のテーパ状の先端部１１ｂの方向に導くことができる。
【００３６】
その上、本実施の形態に係るスプレーボトル１０にあっては、ボトル本体１１の噴出口部１８側の側面１１ｃの形状により、噴出口部１８を下に向けてボトル本体１１を傾けると、内容液２０がボトル本体１１のテーパ状の先端部１１ｂに向かって自然と流れていくようになるため、内容液２０が減じた場合であっても、確実に、内容液２０をボトル本体１１のテーパ状の先端部１１ｂの方向に導くことができる。
【００３７】
また、本実施の形態に係るスプレーボトル１０にあっては、膨出した形状によって多量の内容液２０を蓄積することができるため、ボトル本体１１がテーパ形状であるが故に、ボトル本体１１に収納可能な内容液２０の内容量が少なくなりがちであるが、その点を膨出した形状によって補うことができる。
【００３８】
上述した実施の形態にあっては、以下の変形が可能である。
（１）チューブ１３は、ボトル本体１１の内部で湾曲して配置する例で説明したが、ボトル本体１１の内部で折り曲げて配置してもよい。
（２）スプレーボトル１０は、脚部１４を備えていなくてもよい。
（３）ボトル本体１１は、透明であっても不透明であってもよい。
【産業上の利用可能性】
【００３９】
本考案はスプレーボトルに係ることから、広く産業上の利用可能性を有している。
【符号の説明】
【００４０】
１０    スプレーボトル
１１    ボトル本体
１１ｂ  先端部
１１ｃ  側面
１１ｄ  側面
１２    内容液溜まり部
１３    チューブ
１４    脚部
１５    噴出ヘッド（噴出部）
１６    キャップ
１７    レバー
１８    噴出口部
２０    内容液
３０    スプレーボトル
３１    ボトル本体
３３    チューブ
４０    スプレーボトル
４３    チューブ
４５    噴出ヘッド
４８    噴出口部
５１    上側の障害物
５２    下側の障害物
５３    噴出を希望する壁面
【図１】
0003233080.tif 000003
【図２】
0003233080.tif 000004
【図３】
0003233080.tif 000005
【図４】
0003233080.tif 000006
【図５】
0003233080.tif 000007
【図６】
0003233080.tif 000008